(57)【要約】      （修正有）【課題】野菜や果物の皮むきや、キャベツの千切り、大根などの野菜の薄切りを熟練しなくとも、均一に力を要せず、より効率的に、安全に行う、便利な手動式の皮むき器を提供する。【解決手段】刃４ａと、刃４ａを回転保持するヘッド部２と、柄３を備えた皮むきにおいて、ヘッド部２に取り付けた刃４ａの回転角度を制限した。また、ヘッド部２と柄３の間に屈曲する屈曲部とを備えた。さらに、柄３周辺に操作時に指を掛ける指掛け部や、指を通す貫通穴を設けた。さらには、刃４ａを湾曲させた事を特徴とする皮むき器である。【選択図】図１
0003180909.tif 000002
【実用新案登録請求の範囲】
【請求項１】
刃と、前記刃を回転保持するヘッド部と、柄を備えた皮むき器において、
前記ヘッド部に取り付けた前記刃の回転角度を５度以上６０度以内の範囲とした
ことを特徴とする皮むき器。
【請求項２】
請求項１に記載の皮むき器であって、
前記ヘッド部に取り付けた前記刃の回転角度を８度以上３０度以内の範囲とした
ことを特徴とする皮むき器。
【請求項３】
請求項１又は２のいずれか一項に記載の皮むき器であって
前記ヘッド部と前記柄を接続する屈曲部とを備え、
前記屈曲部は、少なくとも５度屈曲する
ことを特徴とする皮むき器。
【請求項４】
請求項１から３のいずれか一項に記載の皮むき器であって、
前記柄周辺に、少なくとも前記柄を引く操作時に指の掛かる指掛け部、または、指を通す貫通した指掛け穴を設けた
ことを特徴とする皮むき器。
【請求項５】
請求項１から４のいずれか一項に記載の皮むき器であって、
前記柄周辺に、前記刃を湾曲させた
ことを特徴とする皮むき器。
【考案の詳細な説明】
【技術分野】
【０００１】
本考案は、野菜等の皮むき器に関する。
【背景技術】
【０００２】
従来から根菜の皮をむく手動の皮むき器が有る。
【０００３】
近年健康志向などから、野菜を調理する機会が増え、一般家庭でのキャベツの千切り需要や、トマトの皮むき、さらに大根の薄切り、ジャガイモの薄切りなどに利用される需要が増えている。しかしながら、皮むき作業は刃先が食い込みすぎたり、食い込みが足りなかったり、均一な力で均一に皮むきをするのには微妙な調整が必要とされ、中でも、食材の最初の切り込みで失敗が多く技術が必要とされた。また、野菜への無理な食い込みが発生し強く引く力を要する事で、女性や高齢者には使いにくかった。
特許文献１に、三角刃の並びが湾曲した野菜の皮むきが開示されている。
特許文献２には、首刃が左右両側に傾斜可能な作業者の腕等にかかる負担を低減でき、作業効率が向上する皮むき器が開示されている。
特許文献３には、刃を１８０°以上回転させないようにストッパーを付けたものが公開されている。
それぞれは、大根などの野菜の薄切り（薄くむくを含む）や、刃の食い込みを防止するものではない。
【先行技術文献】
【特許文献】
【０００４】
【特許文献１】実用新案登録第３１２５０３８号
【特許文献２】特許公開２００１−１２８８４４号
【特許文献３】登録実用新案第３０１０８０９号
【考案の概要】
【考案が解決しようとする課題】
【０００５】
本考案は、野菜や果物の皮むきや、キャベツの千切り、大根などの野菜の薄切りを熟練しなくとも、均一に力を要せず、より効率的に、安全に行う、便利な手動式の皮むき器を提供しようとするものである。
【課題を解決するための手段】
【０００６】
上記課題を解決するために、本考案に係る皮むき器は、  皮をむく刃と、前記刃を回転保持するヘッド部と、柄を備えた皮むき器において、前記ヘッド部に取り付けた前記刃の回転角度を８度から３０度の範囲とした。
【０００７】
また、前記ヘッド部に取り付けた前記刃の回転角度を５度から６０度の範囲とした。
【０００８】
また、前記ヘッド部と前記柄を接続する屈曲部とを備え、前記屈曲部は、少なくとも５度屈曲することとした。
【０００９】
また、前記柄周辺に、少なくとも前記柄を引く操作時に指の掛かる指掛け部、または、指を通す貫通した指掛け穴を設けた。
【００１０】
また、刃を湾曲させたことを特徴とする皮むき器である。
【考案の効果】
【００１１】
本考案によれば、野菜や果物の皮むきや、大根やキャベツの千切りなどのように、薄く均一で食感が良く食べやすい料理が楽に出来る。これにより、一般家庭で野菜を手軽に食すことで健康促進につなげる事が出来る。また、高齢化によるお年寄りの使用に対応する事が出来る。
【図面の簡単な説明】
【００１２】
【図１】第１の実施形態における皮むき器の図を示す。
【図２】従来の皮むき器の刃周辺の説明を示す。
【図３】第１の実施形態における皮むき器の刃周辺の説明を示す。
【図４】従来の皮むき器の使用時、刃周辺の様子例１を示す。
【図５】従来の皮むき器の使用時、刃周辺の様子例２を示す。
【図６】第１の実施形態における皮むき器の使用時の刃周辺の様子を示す。
【図７】第２の実施形態における皮むき器の図を示す。
【考案を実施するための形態】
【００１３】
本考案の実施の形態について、以下、図に基づいて説明する。
【００１４】
図１は、本考案の実施形態における皮むき器１を示し、皮むき器１は、ヘッド部２と柄３で構成され、例えばヘッド部２はステンレス鋼、柄はＡＢＳ樹脂やポリプロピレン樹脂、エラストマー等や、これらの組合せで形成されている。また、ヘッド部２には皮をむく刃４ａ（例えばステンレス鋼の先端が複数の三角歯で構成された刃）が設けられている。刃４ａの長手方向両側に軸５が設けられ、ヘッド部２の両側に設けられた貫通穴に前記軸５が回動（以降回転と記す）自由にはめ込まれている。また、その周辺には、刃４ａの回転を制限するストッパー６ａが設けられている。ここでは、ストッパー６ａは、円柱状の２本のピンで刃２の回転角度を制限している。特にストッパーの形状を問うものではない。
【００１５】
図２は、従来の皮むき器の刃４の周辺における説明の例を示す。刃４がヘッド部２にはめ込まれた軸５を中心に（ａ）では図右方向に最大に回転しストッパー６に当たった状態を示し、（ｂ）では、刃４が左方向に最大に回転した状態を示し、その刃の動き角度を振れ角θ１として示し、従来、図示の様に少なくとも９０度以上回転していた。
【００１６】
図３は、第１の実施形態における皮むき器の刃周辺の説明を示し、刃４ａがヘッド部２にはめ込まれた軸５を中心に（ａ）では図右方向に最大に回転した状態を示し、（ｂ）では、刃４ａが左方向に最大に回転した状態を示し、その刃４ａの動き角度を振れ角θ２として示し、図示の様に振れ角θ２は３０度以内の回転角としている。
図２、図３の各（ｃ）は野菜（例えば大根）をむく場合の刃の関係を示したものであり、刃の先端４１、４ａ１の刃先方向と刃先との隙間をあけた、対面の面である誘導壁面４２、４ａ２の間に生じる野菜のむきしろｈ（例えば皮の厚さ）により皮のむく厚さを決定付ける事を示し、皮むき時には基本的にストッパーは刃に当たっていない状態であり、それぞれストッパー６，６ａにより刃の自由な動きを邪魔しないものである。
【００１７】
図４は、従来の皮むき器の使用時、刃周辺の様子例１を示す。大根９の薄切り（例えば、薄くかつらむきのように大根の筋方向に沿ってむく）の行為を示し、（ａ）は大根の角から刃４を入れようとする前の状態を示し、（ｂ）は刃４を刺しはじめの状態を示し、（ｃ）は刃をさして削った状態を示す。（ａ）から（ｂ）の状態に掛けて、刃４はストッパー６の右側に当たった状態となり、回転角が大きいために刃の先端４１は斜め上方向を向いた状態になっていることを示す。その状態で矢印の方向にヘッド部２が移動することにより（ｃ）に示すように、大根９の横に斜めに刃の先端４１が刺さる事を示す。これにより、ヘッド部２、強いては皮むき器１は大根に刺さり身動きのとれない状態（硬直状態）になる。また、無理に引くと強い力を要し、損傷や怪我の危険を伴うことに成る。
【００１８】
図５は、従来の皮むき器の使用時、刃周辺の様子例２を示す。上記の硬直状態に陥った経験から、この硬直状態を避ける為に、大根９の角より刃を当てることを避ける行為となった例を示したものである。（ａ）では、大根９の角より手前から刃先を当てようとする前の状態を示し、（ｂ）は、刃の先端４１を大根に当てた状態を示し、（ｃ）は、大根をむいた（削った）状態を示す。（ｂ）では、刃の先端４１が下を向かず当たりにくい状態を示す。このため、大根９の弾力に頼って、大根９に刃の先端４１を押しつける行為を行う事になる。このため、図で下側に押しつける行為が伴い、力を必要とすると共に危険を伴う行為と成る。更に（ｃ）に示すように、むかれた大根９ｂは変形した形状で仕上がると共に、大根の角が山９ｂ１に成り残る。そして次にむく（削る）際には、更に山が残るため刃の先端４１が入りにくくなり、悪循環が重なることとなる。そのようなことから、疲労感の発生や継続断念などに至るものである。
【００１９】
図６は、第１の実施形態における皮むき器の使用時の刃周辺の様子を示す。（ａ）はヘッド部２の刃４ａを大根９の角付近に当てる前の状況を示し、（ｂ）は、刃４ａの右側がストッパー６ａに当たっている状態を示し、刃の先端４ａ１はほぼ水平方向を向き大根９の角に当たろうとしている状況を示す。また、（ｃ）は、大根をむいた状態を示し、むかれた大根９ｃは均一な厚さで削れていることを示す。さらに、削られた大根の面９ｃ１も平らであることを示す。
このように、軸５に対する刃の回転する角度を制限する事により、食材に対する無理な刃の食い込みを制限し、無理な力を要せず均一な薄向きが可能に成るものである。また、それにより、キャベツの千切りや、皮むきに際しても、同様な効果が得られる。
回転角を少なくすることにより、食材への食い込み角度を一定にすることが出来るが、一方で、刃の角度が食材の堅さにより変化するケースや、柄を曳く手と食材の角度の変化などによる、食材と柄の角度の変化（変動角）を考慮し、刃先が食材に掛かる適正な角度を調整する事が必要とされる。先に示した、図２，３（ｃ）の様にこれらの変動の角度範囲がストッパーにより制限されないことが望ましい。このため、刃の回転角（あそび角）が必要とする理由である。この必要とするあそび角は食材や皮むき器のサイズなどにより異なる。この様な点から、好ましくは５度から６０度の範囲で、より好ましくは８度から３０度の範囲で制限することが望ましい。
【００２０】
図７は、第２の実施形態における皮むき器の図を示す。皮むき器１ａはポリプロピレンや、ＡＢＳ樹脂などでヘッド部２と柄３を一体成形したものを示し、刃４ｂは外側に湾曲すると共に、柄３とヘッド部２の間に屈曲部８を設けたものを示す。更に柄３と屈曲部８付近に指を掛ける貫通穴７を設け、柄３には、指掻け部７ａを設けたものを示す。屈曲部８はヘッド部２を食材に押しつけた際に（ｃ）で示すように柄３に対しヘッド部２が屈曲し屈曲角θ３を生じるものである。ストッパー６ｂは台形状のブロック形状のストッパーで、刃との間に隙間ｓを形成し、上記で示した刃の振れ角θ４を形成する。
【００２１】
例えば、キャベツを千切りする際にキャベツの削る面にヘッド部２を押しつけると、図７（ｃ）のように屈曲部８が屈曲し、キャベツの切断面に刃４ｂの食い込みが増す。ここで押しつけ過ぎると、キャベツの切断面に刃４ｂが一層食い込み刃４ｂ、強いてはヘッド部２の可動抵抗が増す。すると、使用者の柄３の矢印方向に引く力が増す。すると、屈曲部８の屈曲が伸びて柄３の方向に真っ直ぐになろうとする。それにより、ヘッド部２と柄３の屈曲が少なくなり、ストッパー６ｂが刃４ｂを図７（ｃ）上で下方向に押し戻す事などにより、刃４ｂの食い込みが解消される。この様に、使用者のキャベツ面に押し当てる力加減に従って引く力が変化し、刃４ｂの食い込み角度が適度な角度位置に自然に解消され戻る。このように、キャベツの切断面に皮むき器１ａを押しつける際の余分な力を吸収することで、力加減の調整を必要とせず、自然な屈曲部の変化により均一なキャベツの千切りを得ることができる。
【００２２】
また、その際に、ヘッド部２に取り付けた刃４ｂの回転角θ４と相まって刃４ｂが極端に野菜に食い込む事が無く、スムースな野菜の切削角度を形成するものである。屈曲部は少なくとも５度屈曲する。屈曲角度を５度、刃の回転、回転角を５度とする事により、ヘッド部２を押しつけ戻した時に最大で１０度のあそび角を確保出来る事になる。好ましくは、ヘッド部を６００ｇから７００ｇで押しつけた際に、屈曲部の屈折角度１０度前後、回転角を２０度前後とすることが望ましい。
【００２３】
また、柄３には、例えば人差し指を通す指掛け穴７が設けられ、柄３の左右には約４分の１円形の指掛け部７ａが設けられており、使用者は、指掛け穴７に人差し指を通し、指掛け部７ａに親指と中指を掛け、楽に曳く事が出来る。
従来の皮むき器は、柄が棒状や板状になっており、柄の表面に多少の起伏があるものの、指を掛ける突起を設けたものはなかった。使用者は、皮むき器の刃が素材に深く食い込むと、皮をむく際に柄を強く握って引かなければならず、使い勝手が悪かった。また、硬い食材の皮をむく場合など、手から皮むき器が抜けてしまうことによる危険性もあった。
貫通穴７や指掛け部７ａを設けることにより、握る力をほとんど要せず引く力に集中しやすくすることが可能となる。
また、これらの指を掻ける部分は、指掛け穴７だけでも、指掛け部７ａだけでも良く、指掛け穴を複数にしても良い。また、指掻け部も一つでも、複数（例えば３カ所）にしても良い。また、切り欠きのある指掛け穴を指掻け部とするなどでも良い。また、掛ける指を限定するものでもない。
【００２４】
また、刃４ｂを素材に向かって弧状に湾曲した形状としている。これにより、平面状の素材を削ることができる。素材に対し平行である場合、平面状の素材には刃が食い込まず、削ることができないが、皮むき器１ａ用いると、削る位置を変えながら窪みをつけるように素材をなぞることで、平面状の素材でも削ることが可能になる。
【００２５】
また、ここでは図示しないが、刃全体を内側に湾曲する事により、大根や、トマトなどをむく際に、表面を包み込むようにむくために、効率良くむけると共に、例えば空振りした際に掌などに対し怪我を防止しやすくする事が出来る。
【００２６】
以上、本考案の実施形態例を説明した。屈曲部は、板バネ、コイルバネを利用したものや、線材を用いても良い。また、これらを複数用いるなどでも良い。本考案は、これらに制限されることなく、その技術的思想の範囲内でさらに様々な変形が可能であり、それらは全て本考案に含まれる。
【符号の説明】
【００２７】
１・１ａ：皮むき器、２：ヘッド部、３：柄、４・４ａ・４ｂ：刃、４１・４１ａ：刃の先端、４２・４ａ２：誘導壁面、５：軸、６、６ａ：ストッパー、７：指掛け穴、７ａ：指掛け部、８：屈曲部、９：大根、９ａ・９ｂ・９ｃ：むかれた大根、９ｂ１：山、９ｃ１：削られた大根の面、ｓ：隙間、ｈ：むきしろ、θ１・θ２：振れ角、θ３：屈曲角
【図１】
0003180909.tif 000003
【図２】
0003180909.tif 000004
【図３】
0003180909.tif 000005
【図４】
0003180909.tif 000006
【図５】
0003180909.tif 000007
【図６】
0003180909.tif 000008
【図７】
0003180909.tif 000009